(57)【要約】【課題】  傾斜地走行車両のような高価で特殊な構造の機械を用いなくても、林業作業を機械化できるようにする。【解決手段】  平坦状の植樹帯１を、各段の植樹帯１のあいだに傾斜状の法面２を有する状態で階段状に形成すると共に、前記植樹帯１に、人や作業機械９が作業する作業場１ａを確保した。また、山地の斜面に、各段の植樹帯１を上下方向に繋ぐ林道６を形成し、林道６に、作業機械９や資材、樹木等の運搬物を各段の植樹帯１に運ぶための運搬用車両７が走行するレール８を敷設した。【選択図】  図１
2005110546.tif 000002
【特許請求の範囲】
【請求項１】
山地の斜面に、平坦状の植樹帯を、各段の植樹帯のあいだに傾斜状の法面を有する状態で階段状に形成すると共に、前記植樹帯に、人や作業機械が作業する作業場を確保したことを特徴とする植樹帯の形成工法。
【請求項２】
請求項１において、山地の斜面に、各段の植樹帯を上下方向に繋ぐ林道を形成したことを特徴とする植樹帯の形成工法。
【請求項３】
請求項２において、林道に、作業機械や資材、樹木等の運搬物を各段の植樹帯に運ぶための運搬用車両が走行するレールを敷設したことを特徴とする植樹帯の形成工法。
【請求項４】
請求項１、２または３の何れかにおいて、植樹帯は、既存の樹木の伐採を行いながら形成することを特徴とする植樹帯の形成工法。
【請求項５】
請求項４において、既存の樹木の伐採は間伐であることを特徴とする植樹帯の形成工法。
【請求項６】
請求項５において、既存の樹木の間伐を行いながら植樹帯を形成するにあたり、間伐樹木と非間伐樹木とを選別し、該選別した間伐樹木の跡地が一連状に繋がるようにしながら植樹帯を形成したことを特徴とする植樹帯の形成工法。
【請求項７】
請求項４において、既存の樹木の伐採は皆伐であることを特徴とする植樹帯の形成工法。
【請求項８】
請求項１、２、３、４、５、６または７の何れかにおいて、植樹帯の山側部位に樹木を植立させる一方、該樹木の谷側部位に人や作業機械が作業する作業場を確保したことを特徴とする植樹帯の形成工法。
【請求項９】
請求項１、２、３、４、５、６または７の何れかにおいて、植樹帯の谷側部位に樹木を植立させる一方、該樹木の山側部位に人や作業機械が作業する作業場を確保したことを特徴とする植樹帯の形成工法。
【請求項１０】
請求項１、２、３、４、５、６、７、８または９の何れかにおいて、植樹帯を形成する作業機械、あるいは植樹帯で作業する作業機械は、整地用あるいは林業用アタッチメントを装着できる油圧ショベルであることを特徴とする植樹帯の形成工法。
【請求項１１】
請求項１、２、３、４、５、６、７、８、９または１０の何れかにおいて、上下植樹帯のあいだの法面を、土壌硬化剤を用いて固めたことを特徴とする植樹帯の形成工法。
【請求項１２】
請求項１、２、３、４、５、６、７、８、９、１０または１１の何れかにおいて、上下植樹帯のあいだの法面に、堆肥促進剤を埋設したことを特徴とする植樹帯の形成工法。
【請求項１３】
請求項１、２、３、４、５、６、７、８、９、１０、１１または１２の何れかにおいて、法面の下端部に、土流出防止用の遮泥体を配設したことを特徴とする植樹帯の形成工法。
【発明の詳細な説明】
【技術分野】
【０００１】
本発明は、林業の機械化を図るための植樹帯の形成工法の技術分野に属するものである。
【背景技術】
【０００２】
日本における林業の多くは、山地の斜面に植えられた樹木を対象としており、このため、植樹、育成、伐採等の林業作業の殆どは斜面で行われている。しかるに、斜面での林業作業は重労働であり、しかも、現在の日本では林業就業者の減少および高齢化が進行しているため、間伐等の必要な作業を行うことができずに放置されたままの森林が増加している。
このため、林業の機械化を図ることが試みられているが、現状での機械化は、チェーンソーやハーベスタによる伐採、タワーヤーダ仕様機械による集材、プロセッサ仕様機械による枝払や玉切、フォーワーダやスキッダによる搬出など、伐採後に行う林業作業に限られていて、伐採前の作業、つまり植樹や育成、間伐等の傾斜地で行う作業の機械化は殆どなされていない。
【０００３】
そこで、従来、傾斜地での作業を行うことができる傾斜地走行車両として、車体の前後左右に４つの足回り装置を有し、該４つの足回り装置を昇降させることで傾斜地であっても運転席を水平に保持できるようにしたものが知られている（例えば、特許文献１参照。）。
【特許文献１】特開平８−８０８７９号公報
【発明の開示】
【発明が解決しようとする課題】
【０００４】
しかるに、前記傾斜地走行車両は、前述したように４つの足回り装置を昇降させる特殊な構造のものであって、高価であるばかりか汎用性がなく、広く林業に用いる場合には実用化に適さない。このため、傾斜地走行車両のような特殊な機械を用いなくても林業作業を機械化できるようにすることが強く要望されており、ここに本発明が解決しようとする課題がある。
【課題を解決するための手段】
【０００５】
本発明は、上記の如き実情に鑑みこれらの課題を解決することを目的として創作されたものであって、請求項１の発明は、山地の斜面に、平坦状の植樹帯を、各段の植樹帯のあいだに傾斜状の法面を有する状態で階段状に形成すると共に、前記植樹帯に、人や作業機械が作業する作業場を確保したことことを特徴とするものである。
そして、この様にすることにより、平坦状の植樹帯で林業作業を行えることになって、傾斜地走行車両のような特殊で高価な機械を用いなくても、小型油圧ショベルのような汎用の作業機械を植樹帯に導入することができ、而して、林業作業の機械化を達成できて、林業の活性化に大きく貢献できる。
請求項２の発明は、請求項１において、山地の斜面に、各段の植樹帯を上下方向に繋ぐ林道を形成したことを特徴とするものである。
そして、この様にすることにより、林道を利用して、作業機械や資材等の輸送、伐採した樹木の集材等を行うことができる。
請求項３の発明は、請求項２において、林道に、作業機械や資材、樹木等の運搬物を各段の植樹帯に運ぶための運搬用車両が走行するレールを敷設したことを特徴とするものである。
そして、この様にすることにより、運搬用車両を用いて、作業機械や資材等の輸送、伐採した樹木の集材等を行えることになって、輸送や集材等を容易かつ効率的に行うことができる。
請求項４の発明は、請求項１、２または３の何れかにおいて、植樹帯は、既存の樹木の伐採を行いながら形成することを特徴とするものである。
そして、この様にすることにより、樹木が植えられたままの山地であっても、該既存の樹木を伐採しながら植樹帯を形成することができて、実用的である。
請求項５の発明は、請求項４において、既存の樹木の伐採は間伐であることを特徴とするものである。これにより、既存の樹木のうち所望の樹木は残したままの状態で、植樹帯を形成することができる。
請求項６の発明は、請求項５において、既存の樹木の間伐を行いながら植樹帯を形成するにあたり、間伐樹木と非間伐樹木とを選別し、該選別した間伐樹木の跡地が一連状に繋がるようにしながら植樹帯を形成したことを特徴とするものである。これにより、既存の樹木の間伐を行いながら植樹帯を形成することができる。
請求項７の発明は、請求項４において、既存の樹木の伐採は皆伐であることを特徴とするものである。
請求項８の発明は、請求項１、２、３、４、５、６または７の何れかにおいて、植樹帯の山側部位に樹木を植立させる一方、該樹木の谷側部位に人や作業機械が作業する作業場を確保したことを特徴とするものである。
そして、この様にすることにより、樹木の根が法面から露出してしまうことを回避できると共に、谷側部位が作業場となっているため、上側の植樹帯の作業場から下側の植樹帯に植立している樹木の枝払い等の作業を行うことができて、林業作業の作業性の向上に貢献できる。
請求項９の発明は、請求項１、２、３、４、５、６または７の何れかにおいて、植樹帯の谷側部位に樹木を植立させる一方、該樹木の山側部位に人や作業機械が作業する作業場を確保したことを特徴とするものである。
請求項１０の発明は、請求項１、２、３、４、５、６、７、８または９の何れかにおいて、植樹帯を形成する作業機械、あるいは植樹帯で作業する作業機械は、整地用あるいは林業用アタッチメントを装着できる油圧ショベルであることを特徴とするものである。
そして、この様にすることにより、汎用の安価な機械を用いての林業作業の機械化が実現する。
請求項１１の発明は、請求項１、２、３、４、５、６、７、８、９または１０の何れかにおいて、上下植樹帯のあいだの法面を、土壌硬化剤を用いて固めたことを特徴とするものである。
そして、この様にすることにより、法面の安定化が図れることになるが、この場合に、土壌硬化剤としてマグネシア系セメントを用いることにより、優れた効果を発揮すると共に、不活性リン酸肥料として土壌に戻すことができるため、土壌の肥沃化に役立つばかりか、環境にも優しいことになる。
請求項１２の発明は、請求項１、２、３、４、５、６、７、８、９、１０または１１の何れかにおいて、上下植樹帯のあいだの法面に、堆肥促進剤を埋設したことを特徴とするものである。
そして、この様にすることにより、法面の土壌に栄養分が供給されて自然に緑化されていくことになる。
請求項１３の発明は、請求項１、２、３、４、５、６、７、８、９、１０、１１または１２の何れかにおいて、法面の下端部に、土流出防止用の遮泥体を配設したことを特徴とするものである。
そして、この様にすることにより、激雨等によって法面の土及び有機物が植樹帯に流れ込んでしまうことを防止できる。
【発明を実施するための最良の形態】
【０００６】
次に、本発明の実施の形態について、図面に基づいて説明する。図１に、本発明の植樹帯形成工法が施工された山地の概略図、図２にその一部拡大図を示す。これら図面において、１は山地の斜面を等高線に略沿うようにして削ることにより形成される平坦状の植樹帯であって、該植樹帯１は、各段の植樹帯１のあいだに傾斜状の法面２を有する状態で階段状に形成されている。各段の植樹帯１の幅は、元の山地の勾配や植えられる樹木の種類等によって異なるが、狭い場合で約１メートル程あれば良く、恰もキャットウォーク（catwalk）のように形成されている。
【０００７】
前記傾斜状の法面２は、植樹帯１を形成するときに削った土を用いて成形されるが、この法面２の勾配は、コンクリートや木材の法止めブロックを必要とするほどの急傾斜（あるいは垂直状）ではなく、元の山地の斜面の形状を残すようにして形成される。
【０００８】
前記法面２には、堆肥促進剤として嫌気性堆肥３を埋設する。該嫌気性堆肥３は土壌に栄養分を供給し、これにより法面２が自然に緑化されていくと共に、経時につれて繁殖するバクテリアにより、法面２の安定化が図れる。
【０００９】
さらに、前記法面２の上側部分、および該上側部分から連続する植樹帯１の谷側部分の表層部は、マグネシア系セメント等の土壌硬化剤４を用いて固める。マグネシア系セメントは、軽焼マグネシアとリン酸肥料とを主原料とするものであって、土壌と混和、成型することにより硬化して法面２を固める。これにより法面２の安定化が図れると共に、硬化物は不活性リン酸肥料として土壌に戻すことができるという利点がある。尚、法面２の全面を土壌硬化材４で固めるようにしてもよい。
【００１０】
また、法面２の下端部（植樹帯１の山側端部）には、土流出防止（エロージョンコントロール）用の遮泥体５が配置されている。該遮泥体５は、本実施の形態では、ネット状の筒体に木のチップや皮、木屑等の濾過材を充填したものであって、泥水が流れてきた場合に、土及び有機物を堰止めて水のみを通過させるように構成されており、これにより激雨等によって法面２の土及び有機物が植樹帯１に流れ込んでしまうことを防止できるようになっている。
【００１１】
一方、６は各段の植樹帯１を上下方向に繋ぐようにして形成される林道であって、該林道６には、運搬用車両（本実施の形態では、３トン程度の重量物を積載できるモノレール）７が走行するレール８が敷設されている。そして、該レール８を走行する運搬用車両７によって、後述する作業機械９や資材、植樹する苗木や伐採した樹木、あるいは作業者等を麓から各段の植樹帯１へ、また植樹帯１から麓へと運ぶことができるようになっている。尚、前記林道６は、防火帯としても役立つことになる。
【００１２】
樹木１０は、前記植樹帯１の山側部位に一列状に植立される。該樹木１０の谷側部位は、人や作業機械９が走行、作業する作業場１ａになっている。そして、この様に樹木１０を山側部位に配することにより、樹木１０の根が法面２から露出してしまうことを回避できると共に、谷側部位が作業場１ａとなっているため、上側の植樹帯１の作業場１ａから下側の植樹帯１に植立している樹木の枝払い等の作業を行うことができる。
【００１３】
前記作業機械９は、例えば、車幅が７０センチメートル位の汎用の小型油圧ショベルに、バケット、アースオーガ、チェーンソー、ハーベスタ、トリマー等の整地用、林業作業用のアタッチメントを着脱自在に装着できるものであって、前述した運搬用車両７に積載されて植樹帯１に運ばれ、該植樹帯１での整地作業や林業作業を行えるようになっている。
【００１４】
扨、前記植樹帯１および法面２の形成は、山全体、あるいは所定範囲に亘って皆伐した後に、油圧ショベル等の整地用機械を用いて行うことができるが、樹木が植えられているままの山地であっても、該既存の樹木を伐採しながら植樹帯１および法面２を形成することもできる。この場合に、既存の樹木の全てを伐採しながら形成することも勿論できるが、一部の樹木の伐採、つまり間伐を行いながら植樹帯１を形成することもできる。
【００１５】
前記間伐しながら植樹帯１を形成する場合には、まず、間伐する樹木（間伐樹木）と残す樹木（非間伐樹木）とを選別する。そして、選別した樹木の間伐を行うにあたり、略等高線上にある間伐樹木を、該間伐樹木の跡地が一連状に繋がるようにし、且つ残す樹木が植樹帯１の山側部位に位置するようにして植樹帯１を形成していく。このように間伐しながら植樹帯１を形成する場合には、整然とした植樹帯１の形成は事実上難しいものがあって、実際には、図３に示す如く、多少の起伏やうねり、曲りが生じたりするが、作業機械９が導入できる程度の植樹帯１が形成されれば問題ない。また、必要において、次回の間伐のときに再度植樹帯１を整備していくこともでき、このようにすることにより、次第に整然とした植樹帯１とすることもできる。
【００１６】
叙述の如く構成された本形態において、山地の斜面には、平坦状の植樹帯１が階段状に形成されると共に、該平坦状の植樹帯１には、人や作業機械が作業する作業場１ａが確保されることになる。而して、平坦状の作業場１ａで林業作業を行えることになって、傾斜地走行車両のような特殊で高価な機械を用いなくても、例えば小型油圧ショベルのような汎用の作業機械９を植樹帯１に導入しての林業作業が可能となる。この結果、林業作業の機械化を達成できて、就業者の減少や高齢化が進む林業の活性化に大きく貢献できる。また、樹木１０は、平坦状の植樹帯１に植えられるため、傾斜面に植えられた樹木のように根元部分が曲がってしまうようなことがなく、製品価値が上がるという利点もある。
【００１７】
しかもこのものにおいて、各段の植樹帯１のあいだの法面２は、直立状ではなく傾斜状であって、元の山地の斜面の形状を残すようにして形成されている。このため、コンクリートや木材等の法止めブロックをアンカーで止めるような大規模な法面固定工事は必要なく、油圧ショベル等の整地用機械を用いて法面形成工事を簡単に行うことができる。
【００１８】
さらに、前記植樹帯１および法面２は、皆伐された後の山地に形成できることは勿論のこと、樹木が植えられているままの山地であっても、該既存の樹木を伐採（皆伐または間伐）しながら形成することができるから、実用的であると共に、残したい樹木があっても支障なく施工することができる。
【００１９】
また、前記法面２は、該法面２の表層部をマグネシア系セメント等の土壌硬化剤４を用いて固めることにより安定化が図られているが、該マグネシア系セメントは、法面２の硬化剤として優れた効果を発揮すると共に、不活性リン酸肥料として土壌に戻すことができるため、土壌の肥沃化に役立つばかりか、環境にも優しいことになる。
【００２０】
さらに法面２には、堆肥促進剤として嫌気性堆肥３が埋設されているから、法面２の土壌に栄養分が供給されて自然に緑化されていくと共に、経時につれてバクテリアが繁殖することにより、法面２の安定化に寄与できる。
【００２１】
そのうえ、法面２の下端部にはエロージョンコントロール用の遮泥体５が配置されているため、激雨等によって法面２の土が植樹帯１に流れ込んでしまうことを防止できる。
【００２２】
さらにこのものでは、各段の植樹帯１を上下方向に繋ぐようにして林道６が形成されており、該林道６には、運搬用車両７が走行するレール８が敷設されている。而して、該運搬用車両７を用いて作業機械９や資材、植樹する苗木や伐採した樹木等を運搬することで、作業機械９や資材等の輸送、伐採した樹木の集材等を、容易かつ効率的に行うことができる。
【００２３】
また、本実施の形態では、植樹帯１の山側部位に樹木１０を植立する一方、該樹木１０の谷側部位は人や作業機械が作業する作業場１ａとして確保されている。これにより、樹木１０の根が法面２から露出してしまうことを回避できると共に、谷側部位が作業場となっているため、上側の植樹帯１の作業場１ａから下側の植樹帯１に植立している樹木の枝払い等の作業を行うことができて、林業作業の作業性の向上に貢献できる。
尚、植樹帯１の谷側部位に樹木１０を植立し、該樹木１０の山側部位に作業場１ａを確保する構成にしたり、あるいは、植樹帯１の山側、谷側の両側に二列に樹木１０を植立し、該二列の樹木１０のあいだに作業場１ａを確保する構成にすることもできる。
【００２４】
さらに、植樹帯１での整地作業や林業作業を行う作業機械９は、例えば、小型油圧ショベルに、バケット、アースオーガ、チェーンソー、ハーベスタ、トリマー等の整地用、林業作業用のアタッチメントを着脱自在に装着できるものであり、而して、汎用の安価な機械を用いての林業作業の機械化が達成できる。
尚、前記作業機械９を、有線、無線による遠隔制御（ラジオコントロール、リモートコントロール等）で遠隔操作できるものとすれば、植樹帯１から落下したり伐採等の作業時に樹木１０の下敷きになってしまうような不測の事態が発生するような惧れがあるとしても、該不測の事態が作業者に及ぶことを回避できる。また、作業中における植樹帯１からの万一の落下防止対策としては、例えば、作業機械９と樹木１０とを、樹木１０を傷つけることなく挟持できるようにゴム製のクリップが一端側に形成された連結具等を用いて連結するように構成することもできる。
【図面の簡単な説明】
【００２５】
【図１】植樹帯が形成された山地の概略図である。
【図２】図１の一部拡大図である。
【図３】間伐しながらの植樹帯の形成を示す説明図である。
【符号の説明】
【００２６】
１    植樹帯
１ａ  作業場
２    法面
３    嫌気性堆肥
４    土壌硬化剤
５    遮泥体
６    林道
７    運搬用車両
８    レール
９    作業用機械
１０    樹木
【図１】
2005110546.tif 000003
【図２】
2005110546.tif 000004
【図３】
2005110546.tif 000005